(57)【要約】      （修正有）【課題】一般の箱体に使用できる折り畳み式箱体のボーンフレームを提供し、収納時の体積を有効に縮減できるのみならず、使用時に支持力が弱まることを防止する。【解決手段】複数の固定支持板１０、可動支持板２０、折り畳み構造３０及び開閉片４０で構成され、該折り畳み構造の二端に固定支持板と可動支持板が取り付けられ、該折り畳み構造が二つの可動片３１，３２と係止片３３で構成され、二つの開閉片を利用して相互に嵌合する方式で結合された後に、更に開閉係止片４１ｃで二つの開閉片が係合固定され、以上の構造により製品組立時の便利性が増し、且つ有効に箱体の折り畳み後の体積が縮減されている。【選択図】図３
0003112821.tif 000002
【実用新案登録請求の範囲】
【請求項１】
折り畳み式箱体のボーンフレームであって、複数の固定支持板、可動支持板、折り畳み構造及び開閉片で構成され、該折り畳み構造の二端に固定支持板と可動支持板の辺縁が取り付けられ、該折り畳み構造が二つの可動片と係止片で構成され、そのうち該二つの可動片の対向する側辺に相互に組み合わされる鋸歯状の係止部が設けられ、二つの可動片の係止部が組み合わされた後に枢設され、そのうち一つの可動片の別側に逆Ｕ形の挟持部と複数の穿孔が設けられ、該挟持部の内側に内向きに突出する二つの凸塊があり、その二つの凸塊がそれぞれ係止片内の活動溝内に係合し、穿孔に係止片の側端より突出する挿入片が挿入され、
そのうち一つの開閉片の側辺に突出する取り付け溝と複数の挿入孔が設けられ、取り付け溝の中央に開孔があり、外側に複数の位置決めフックがあり、取り付け溝内に開閉係止片が取り付けられ、別側の対応する開閉片は中央に嵌め溝を具え、嵌め溝の周囲に位置決めフックに対応する位置決め孔及び開閉孔が設けられ、嵌め溝の上下二側にそれぞれ挿入片が設けられたことを特徴とする、折り畳み式箱体のボーンフレーム。
【請求項２】
請求項１記載の折り畳み式箱体のボーンフレームにおいて、開閉係止片前端が取り付け溝より突出する係止ブロックとされ、その後端に弾力部を具え、並びに中央部に円孔があり、該円孔内側端に開閉係止片平面より突出するフック部が設けられ、取り付け溝内への係合固定に用いられることを特徴とする、折り畳み式箱体のボーンフレーム。
【請求項３】
請求項１記載の折り畳み式箱体のボーンフレームにおいて、開閉片が一体方式で二つの可動支持板の可動端に取り付けられることを特徴とする、折り畳み式箱体のボーンフレーム。
【請求項４】
請求項１記載の折り畳み式箱体のボーンフレームにおいて、開閉片が挿入固定方式で二つの可動支持板の可動端に取り付けられることを特徴とする、折り畳み式箱体のボーンフレーム。
【考案の詳細な説明】
【技術分野】
【０００１】
本考案は一種の折り畳み式箱体のボーンフレームに係り、特に箱体内部に取り付けられるボーンフレームの構造であって、多段折り畳みの方式で収納され、快速係合固定の開閉構造を具え、箱体の組立時の便利性を増し、且つ有効に箱体の折り畳み後の体積を縮減できる折り畳み式箱体のボーンフレームに関する。
【背景技術】
【０００２】
図１に示されるように、一般に市販されている箱体ａの多くは、外カバーａ１の内面にボーンフレームａ２が取り付けられ、並びに該ボーンフレームａ１により外カバーａ１を支持し、その内部に収容空間ａ３を形成して使用に供する。それは使用して相当に便利であるが、不使用時にそのボーンフレームがそれ以上体積を縮減できないため収納体積が大きく成りすぎるという欠点がある。図２は市販されている不使用時に折り畳んで収納できる箱体ａであり、箱体ａの内部にボーンフレームａ２が取り付けられ、並びにボーンフレームａ２の折り曲げ部分にヒンジａ４が取り付けられ、並びに開閉構造ａ５が設けられ、開閉構造ａ５が閉じられている時、短側の支持板ａ２１が内向きに二側の長側の支持板ａ２２に向けて重ね合わされると長側の支持板ａ２２がこれに連動して箱体ａの底面に向けて折り畳まれ、並びにもともとあるスライドファスナーａ６でそれが閉合され、折り畳み後の体積縮減の目的を達成する。しかしこの構造は体積縮減の目的を達成できるものの、実際に操作すると、ボーンフレームの折り曲げ部分に支持力不足の問題があり、組立に不便である問題もある。
【考案の開示】
【考案が解決しようとする課題】
【０００３】
ゆえに本考案は新たな折り畳み式箱体のボーンフレームを提供し、それは使用時にボーンフレームの支持力が弱まらず、また操作上の問題がなく、且つ新たな開閉係止片設計の採用により、組立時に更に便利とされたものとする。
【０００４】
本考案の主要な目的は、一般の箱体に使用できる折り畳み式箱体のボーンフレームを提供することにあり、それは、収納時の体積を有効に縮減できるのみならず、使用時に支持力が弱まる問題を形成しないものとする。
【０００５】
本考案の次の目的は、一種の開閉片を提供することにあり、その構造は簡単で組立に便利であり、且つ操作が更に便利であるものとする。
【課題を解決するための手段】
【０００６】
請求項１の考案は、折り畳み式箱体のボーンフレームであって、複数の固定支持板、可動支持板、折り畳み構造及び開閉片で構成され、該折り畳み構造の二端に固定支持板と可動支持板の辺縁が取り付けられ、該折り畳み構造が二つの可動片と係止片で構成され、そのうち該二つの可動片の対向する側辺に相互に組み合わされる鋸歯状の係止部が設けられ、二つの可動片の係止部が組み合わされた後に枢設され、そのうち一つの可動片の別側に逆Ｕ形の挟持部と複数の穿孔が設けられ、該挟持部の内側に内向きに突出する二つの凸塊があり、その二つの凸塊がそれぞれ係止片内の活動溝内に係合し、穿孔に係止片の側端より突出する挿入片が挿入され、
そのうち一つの開閉片の側辺に突出する取り付け溝と複数の挿入孔が設けられ、取り付け溝の中央に開孔があり、外側に複数の位置決めフックがあり、取り付け溝内に開閉係止片が取り付けられ、別側の対応する開閉片は中央に嵌め溝を具え、嵌め溝の周囲に位置決めフックに対応する位置決め孔及び開閉孔が設けられ、嵌め溝の上下二側にそれぞれ挿入片が設けられたことを特徴とする、折り畳み式箱体のボーンフレームとしている。
請求項２の考案は、請求項１記載の折り畳み式箱体のボーンフレームにおいて、開閉係止片前端が取り付け溝より突出する係止ブロックとされ、その後端に弾力部を具え、並びに中央部に円孔があり、該円孔内側端に開閉係止片平面より突出するフック部が設けられ、取り付け溝内への係合固定に用いられることを特徴とする、折り畳み式箱体のボーンフレームとしている。
請求項３の考案は、請求項１記載の折り畳み式箱体のボーンフレームにおいて、開閉片が一体方式で二つの可動支持板の可動端に取り付けられることを特徴とする、折り畳み式箱体のボーンフレームとしている。
請求項４の考案は、請求項１記載の折り畳み式箱体のボーンフレームにおいて、開閉片が挿入固定方式で二つの可動支持板の可動端に取り付けられることを特徴とする、折り畳み式箱体のボーンフレームとしている。
【考案の効果】
【０００７】
本考案の折り畳み式箱体のボーンフレームは、有効に収納時の体積を縮小できるのみならず、使用時に支持力が弱まる問題がなく、その開閉片が改良され、その構造は簡単で組立に便利であり、操作上も便利である効果を有する。ゆえに本考案は実用性と進歩性を有するものである。
【考案を実施するための最良の形態】
【０００８】
本考案は一種の折り畳み式箱体のボーンフレームを提供し、それは複数の固定支持板、可動支持板、折り畳み構造及び開閉片で構成され、該折り畳み構造の二端に固定支持板と可動支持板の辺縁が取り付けられ、該折り畳み構造が二つの可動片と係止片で構成され、そのうち該二つの可動片の係止部が対向するよう組み合わされた後に枢設され、そのうち一つの可動片の別側に逆Ｕ形の挟持部と複数の穿孔が設けられ、該挟持部の内側に内向きに突出する二つの凸塊があり、その二つの凸塊がそれぞれ係止片内の活動溝内に係合し、穿孔に係止片の側端より突出する挿入片が挿入され、並びに二つの開閉片が二つの可動支持板の可動端に取り付けられ、そのうち一方の開閉片の中央に取り付け溝があり、別側の対応する開閉片は嵌め溝を具え、取り付け溝内に開閉係止片が取り付けられ、該開閉係止片の前端が取り付け溝より突出する係止ブロックとされ、その後端に弾力部を具え、並びに中央部に円孔があり、該円孔内側端に開閉係止片平面より突出するフック部が設けられ、取り付け溝内への係合固定に用いられ、その開閉係止片の前端の係止ブロックが嵌め溝上方の開閉孔内に挿入されて開閉の目的が達成される。
【０００９】
上述の構造を使用する時は、可動片の係止部が相互に係合されて位置が固定される。続いて、係止片の回転と移動が同時に行なわれ、係止片の挿入片が可動片の穿孔内に挿入され、その二つの対応する開閉片が相互に対応し係合し、開閉係止片の前端の係止ブロックが開閉孔内に係合し、これにより折り畳み構造と開閉片が緊密に一体に結合され、且つ各接続部分に嵌合或いは係合の構造があり、これにより支持力が減る問題がない。折り畳んで収納する時は、開閉係止片を接合部分の反対方向に向けて移動させると、開閉係止片前端の係止ブロックが開閉孔を離脱し、その可動片と係止片が展開され並びに回転し、二つの可動片が回転して可動支持板が固定支持板の方向に移動して多段折り畳みが形成され、有効に収納体積を縮減する効果が達成される。且つその開閉構造は一つの開閉片前端の係止ブロック、及び別側の開閉係止片の中央の開閉孔の結合方式で固定され、その開閉片は開閉装置孔側面の開孔より挿入された後、開閉片のフック部で開閉装置孔内側の円孔を係止し、且つ該開閉片の後端に弾力部が設けられ、該開閉片を押圧する時の回復弾力を提供するほか、係止フック部が円孔を係止する力を提供し、それは構造が簡単で組立に便利であり、ゆえに組立或いは使用のいずれも相当に便利である。
【実施例１】
【００１０】
図３、４、５に示されるように、本考案の折り畳み式箱体のボーンフレームは、複数の固定支持板１０、可動支持板２０、折り畳み構造３０及び開閉片４０で構成されている。
【００１１】
該折り畳み構造３０の二端には固定支持板１０と可動支持板２０の辺縁が取り付けられ、該折り畳み構造３０が二つの可動片３１、３２と係止片３３で構成され、そのうち該二つの可動片３１、３２の対向する側縁に相互に組み合わされる鋸歯状の係止部３１ａ、３２ａが設けられ、二つの可動片３１、３２の係止部３１ａ、３２ａが組み合わされた後に枢設され、そのうち一つの可動片３２の別側に逆Ｕ形の挟持部３２ｂと複数の穿孔３２ｃが設けられ、該挟持部３２ｂの内側に内向きに突出する二つの凸塊３２ｂ１があり、その二つの凸塊３２ｂ１がそれぞれ係止片３３内の活動溝３３ａ内に係合し、穿孔３２ｃに係止片３３の側端より突出する挿入片３３ｂが挿入される。
【００１２】
そのうち一方の開閉片４０の側端に突出する取り付け溝４１と複数の挿入孔４２があり、該取り付け溝４１の中央に開孔４１ａがあり、外側に複数の位置決めフック４１ｂがあり、取り付け溝４１内に開閉係止片４１ｃが取り付けられ、該開閉係止片４１ｃ前端は取り付け溝４１より突出する係止ブロック４１ｃ１とされ、その後端に弾力部４１ｃ２があり、並びに中央部に円孔４１ｃ３があり、該円孔４１ｃ３の内側端が開閉係止片４１ｃの平面より突出するフック部４１ｃ４を具えて取り付け溝４１の開孔４１ａ内への係合に供される。相互に対応する別側の開閉片４０の中央に嵌め溝４３があり、嵌め溝４３周囲に位置決めフック４１ｂに対応する位置決め孔４３ａと開閉孔４３ｂがあり、嵌め溝４３の上下二側に挿入片４４があり、それは開閉片係合後の支持力を増すのに用いられる。このほか、上述の二つの開閉片４０は一体方式或いは挿入固定方式で二つの可動支持板２０の可動端に取り付けられる。二つの開閉片４０が相互に嵌合された後、その開閉係止片４１ｃ前端の係止ブロック４１ｃ１が嵌め溝４３の開閉孔４３ｂ内に係合され、位置決めフック４１ｂが位置決め孔４３ａ内に挿入され、挿入片４４が挿入孔４２内に挿入され、これにより二つの開閉片４０の完全に緊密な係合固定が達成される。
【００１３】
図６、７に示されるように、それを展開使用する時は、折り畳み構造３０を外向きに開き、並びに二つの可動片３１、３２の係止部３１ａ、３２ａを相互に係合して位置を固定する。続いて、係止片３３を同時に回転と移動させて、係止片３３の挿入片３３ｂを可動片３２の穿孔３２ｃ内に挿入する。同時に、その二つの対応する開閉片４０が相互に対応し係合し、その開閉係止片４１ｃ前端の係止ブロック４１ｃ１が開閉孔４２ｂ内に係合し、その開閉係止片４１ｃ前端の係止ブロック４１ｃ１が開閉孔４２ｂ内に係合し、これにより折り畳み構造３０と開閉片４０が緊密に一体に結合される。図８、９に示されるように、折り畳んで収納する時は、開閉係止片４１ｃを接合部分の反対方向に向けて移動させる方式で、開閉係止片４１ｃ前端の係止ブロック４１ｃ１を係止ブロック４１ｃ１が開閉孔４３ｂを離脱し、その可動片３２と係止片３３が展開され並びに回転し、二つの可動片３１、３２が回転して可動支持板２０が固定支持板１０の方向に移動して多段折り畳みが形成され、有効に収納体積を縮減する効果が達成される。
【図面の簡単な説明】
【００１４】
【図１】周知の箱体の立体構造図である。
【図２】周知の折り畳み式箱体の立体構造図である。
【図３】本考案の立体分解図である。
【図４】本考案の開閉係止片の立体構造図である。
【図５】本考案の立体組合せ図である。
【図６】本考案の展開時の平面図である。
【図７】本考案の展開動作表示図である。
【図８】本考案の折り畳み収納時の平面図である。
【図９】本考案の折り畳み収納動作表示図である。
【符号の説明】
【００１５】
１０  固定支持板                ２０  可動支持板
３０  折り畳み構造              ４０  開閉片
３１、３２  可動片              ３３  係止片
３１ａ、３２ａ  係止部          ３２ｂ  挟持部
３２ｂ１  凸塊                  ３２ｃ  穿孔
３３ａ  活動溝                  ３３ｂ、４４  挿入片
４１  取り付け溝                ４１ａ  開孔
４１ｂ  位置決めフック          ４１ｃ  開閉係止片
４１ｃ１  係止ブロック          ４１ｃ２  弾力部
４１ｃ３  円孔                  ４１ｃ４  フック部
４２  挿入孔                    ４３  嵌め溝
４３ａ  位置決め孔              ４３ｂ  開閉孔
【図１】
0003112821.tif 000003
【図２】
0003112821.tif 000004
【図３】
0003112821.tif 000005
【図４】
0003112821.tif 000006
【図５】
0003112821.tif 000007
【図６】
0003112821.tif 000008
【図７】
0003112821.tif 000009
【図８】
0003112821.tif 000010
【図９】
0003112821.tif 000011